(57)【要約】【課題】扉を閉じようとする時には下方から把持しやすく、扉が閉じる際には自動的に扉の内側に収まることの可能な、簡単な構造で簡単に装着しやすい扉引きを備えた吊戸棚を実現する。【解決手段】吊戸棚１は、内部に収納空間を形成する箱体部２と、箱体部２の前面を覆う扉３とからなり、扉３は箱体部２の一部を構成する天板２’に固定されて、上向きに開放可能に形成されており、扉３はその内面に、扉引き取り付け手段４を備えており、扉引き取り付け手段４は、レール部材６と移動部材７とからなり、レール部材６はレールを備え扉３の内面に固定されており、移動部材７は、扉引き５を取り付け、扉引き５をレールに沿ってスライド可能とするとともに、引っ張りコイルバネ８によりレール部材６の上端方向に付勢されている。【選択図】図１
2008029382.tif 000002
【特許請求の範囲】
【請求項１】
内部に収納空間を形成する箱体部と、箱体部の前面を覆う扉とからなり、扉は箱体部の一部を構成する天板に、上向きに開放可能に取り付けられて成る吊戸棚であって、扉はその内面に、扉引き取り付け手段を備えており、該扉引き取り付け手段には、下方へ垂れ下がる扉引きが、扉引きの取り付け位置が扉の内面に沿って移動可能となるように取り付けられていることを特徴とする吊戸棚。
【請求項２】
請求項１記載の吊戸棚であって、扉引き取り付け手段は、レール部材と移動部材とからなり、レール部材は、レールを備えて扉の内面に固定されているとともに、移動部材は、レール内で摺動可能となっており、移動部材には扉引きが回動可能に吊持されていることを特徴とする吊戸棚。
【請求項３】
請求項２記載の吊戸棚であって、移動部材は、レール内を摺動可能な移動部と、レールから突出する突部を備え、移動部はバネによりレール部材の上端方向に付勢されており、突部に扉引きが軸支されていることを特徴とする吊戸棚。
【請求項４】
請求項２記載の吊戸棚であって、移動部材は、レール内を摺動可能な移動部と、レールから突出する突部を備え、移動部はレール部材の上端に隣接して扉の内面に設けられた磁石に吸着されて保持可能であり、突部に扉引きが軸支されていることを特徴とする吊戸棚。
【発明の詳細な説明】
【技術分野】
【０００１】
本発明は、キッチン等に設けられる吊戸棚に関し、特に、上向きに開放可能に形成されている扉の内面に扉引きを設けてなる吊戸棚に関する。
【背景技術】
【０００２】
従来、吊戸棚の上向きに開放可能に形成されている扉の内面に扉引きを設けた構成は公知である。例えば、高所設置用収納体において、扉の内面に下方に垂れ下がる把手を回動自在に取り付けた構成が知られている（特許文献１参照）。
【０００３】
また、吊戸棚において、扉の内面に把手部を有する吊り下げ部材を取り付け、吊り下げ部材に伸縮部材を備え、吊り下げ部材を扉の下方へ露出する、あるいは扉の内部に隠蔽するように調整可能とする構成が知られている（特許文献２参照）。さらに、吊戸棚において、操作具の移動に連動させて、扉を回動させるようにした構成が知られている（特許文献３参照）。
【特許文献１】特開昭５９−１８１１０５号公報
【特許文献２】特開２００１−２４５７３６号公報
【特許文献３】特開２００４−３２１７７０号公報
【発明の開示】
【発明が解決しようとする課題】
【０００４】
上記のように、吊戸棚の扉の内面に扉引きを設ける構成は公知であるが、扉が上方に開いている時には扉引きに下方から手が届くようにぶら下がっており、扉が下方に近づくと扉引きが、扉と吊戸棚本体の間にはさまることなく、自動的に扉の内面側にコンパクトに収納することが望ましい。
【０００５】
本発明は、扉を閉じようとする時には下方から把持しやすく、扉が閉じる際には扉の内側に収まることが可能であり、扉の内面に簡単に装着できる簡単な構造の扉引き手段を備えた吊戸棚を実現することを課題とするものである。
【課題を解決するための手段】
【０００６】
本発明は上記課題を解決するために、内部に収納空間を形成する箱体部と、箱体部の前面を覆う扉とからなり、扉は箱体部の一部を構成する天板に、上向きに開放可能に取り付けられて成る吊戸棚であって、扉はその内面に、扉引き取り付け手段を備えており、該扉引き取り付け手段には、下方へ垂れ下がる扉引きが、扉引きの取り付け位置が扉の内面に沿って移動可能となるように取り付けられていることを特徴とする吊戸棚を提供する。
【０００７】
上記吊戸棚において、扉引き取り付け手段は、レール部材と移動部材とからなり、レール部材は、レールを備えて扉の内面に固定されているとともに、移動部材は、レール内で摺動可能となっており、移動部材には扉引きが回動可能に吊持されていることが好ましい。
【０００８】
上記吊戸棚において、移動部材は、レール内を摺動可能な移動部と、レールから突出する突部を備え、移動部はバネによりレール部材の上端方向に付勢されており、突部に扉引きが軸支されていることが好ましい。
【０００９】
上記吊戸棚において、移動部材は、レール内を摺動可能な移動部と、レールから突出する突部を備え、移動部はレール部材の上端に隣接して扉の内面に設けられた磁石に吸着されて保持可能であり、突部に扉引きが軸支されていることが好ましい。
【発明の効果】
【００１０】
本発明に係る吊戸棚によれば、次のような効果が生じる。
（１）扉が上方に開いていても扉引きが下方に吊り下がっているから、踏み台等を用意することなく、扉引きを把持して下方に引くことで、簡単に扉を閉めることができる。
（２）扉が閉じる直前に扉引きを扉の内側に収めることが可能であるので、扉引きを扉と吊戸棚本体に挟まるようなことがなく、操作し易い。
（３）扉引き取付手段及び扉引きは、構造が簡単であり、既設の吊戸棚にも簡単に適用可能である。
【発明を実施するための最良の形態】
【００１１】
本発明に係る吊戸棚を実施するための最良の形態を実施例に基づき図面を参照して、以下説明する。
【実施例１】
【００１２】
図１及び図２は、本発明に係る吊戸棚の実施例１を説明する図である。図１（ａ）は、キッチンや洗面室等に設置される吊戸棚１を示す斜視図である。吊戸棚１は、内部に収納空間を形成する箱体部２と、箱体部２の前面を開閉して覆う扉３とからなり、扉３は、箱体部２の一部を構成する天板２’の前縁にヒンジ等により開閉可能に取り付けら、上向きに開放可能である。
【００１３】
扉３はその内面には、図１（ｂ）〜（ｅ）に示すように、扉引き取り付け手段４によって、下方へ垂れ下がる扉引き５が、扉引き５の取り付け位置が扉３の内面に沿って上下方向に移動可能となるように取り付けられている。扉引き取り付け手段４及び扉引き５の詳細な構成については、図１及び図２において詳細に説明する。
【００１４】
扉引き取り付け手段４は、図２（ａ）〜（ｃ）に示すような、レール部材６と、移動部材７と、移動部材７をレール部材６に沿って上端側に付勢する引っ張りコイルバネ８とを備えている。
【００１５】
レール部材６は、扉３の内面に固定されるものであって、図２（ａ）に示すように、レール９と、レール９の上下端に形成された上下折り返し片１０、１１とを備えている。レール９は略矩形断面を有し、その外面１２（扉３の内面に固定される面の対向面）には、上下端で開口する溝孔１３が形成されている。上下折り返し片１０、１１は、レール９の上下の開口をカバーするように形成されており、上折り返し片１０にはバネ掛け孔１４が形成されている。
【００１６】
移動部材７はレール９内に嵌合されるものであり、図２（ｂ）、（ｃ）に示すように、レール９内で摺動可能な移動部１５と、レール９の溝孔１３から突出する突部１６とから一体に形成されている。移動部１５の上面には、図２（ｂ）に示すように、バネ掛け孔１７が形成されている。
【００１７】
引っ張りコイルバネ８の上端及び下端が、それぞれ上折り返し片１０のバネ掛け孔１４及び移動部１５のバネ掛け孔１７に掛けられている。これにより、移動部１５を常時、レール部材６の上端側に付勢している。
【００１８】
扉引き５は、図２（ｄ）に示すよう、杆部１８と、この杆部１８の下端に装着された重錘から成る把持部１９とからなる。杆部１８の上端二股部２０間に移動部材７の突部１６を嵌合させ、上端二股部２０及び突部１６にそれぞれ形成された軸孔２１’内に軸２１を挿入し、杆部１８を移動部材７に対して回動可能に軸支する。これにより、扉引き５は、移動部材７に回動可能に吊持され、且つレール９に沿って扉３の内面を上下方向にスライド可能である。
【００１９】
（作用）
以上の構成から成る吊戸棚１の作用を以下に説明する。図１（ｃ）に示すように吊戸棚１の扉３を上方に開いた状態では、移動部材７は、引っ張りコイルバネ８によって付勢されレール９の上端まで引き上げられている。
【００２０】
この状態では、移動部材７の突部１６はレール９の略上端の位置にあり、突部１６に軸支された扉引き５は、把持部１９によってこの突部１６の位置から垂直下方に垂れ下がっている。従って、使用者は、扉３を閉じようとする際に、扉３の下端に手が届かなくても扉引き５の把持部１９は把持できる位置にある。
【００２１】
図１（ｃ）に示す吊戸棚１の扉３を閉じる場合は、使用者は扉引き５の杆部１８又は把持部１９を把持し下方に引くと、引っ張りコイルバネ８の付勢力に抗して移動部材７及び扉引き５は、レール９に沿って下方にスライドする。そして、移動部材７の移動部１５がレール９の下端で下折り返し片１１に当接すると、図１（ｄ）に示すように、扉引き５を下方に引く力は、移動部材７から扉引き取り付け手段４を介して扉３に伝達され、扉３が閉じる方向に回動する。
【００２２】
そして、扉３が閉じる直前に、使用者が扉引き５を下方に引くことを止めて扉引き５から手を離すと、引っ張りコイルバネ８の付勢力により、移動部材７及び扉引き５は、レール９に沿って上方にスライドしレール９の上端で停止する。この状態では、図１（ｅ）に示すように、扉３を閉じても、扉引き５が上方に退避しているために邪魔となることなく、その下部が扉３と箱体との間に挟まるようなことがない。
【実施例２】
【００２３】
図３、４は、本発明に係る吊戸棚の実施例２を説明する図である。実施例２の吊戸棚２２は実施例１の吊戸棚１とほぼ同じ構成であるが、相違する構成を中心に以下に説明する。
【００２４】
吊戸棚２２においても、実施例１と同様に、その内面に図３（ａ）に示すように、扉引き取り付け手段２３によって、下方へ垂れ下がる扉引き５が、扉引き５の取り付け位置が扉３の内面に沿って上下方向に移動可能となるように取り付けられている。
【００２５】
扉引き取り付け手段２３は、図４（ａ）に示すように、実施例１と略同様なレール部材２４と、移動部材７を備えているが、実施例１のような引っ張りコイルバネ８は備えておらず、磁石２５（図４（ａ）で想像線で示す。）を備えている。
【００２６】
レール部材２４は、図４（ｂ）に示すように、略矩形断面のレール２６を有し、その外面２７（扉３の内面に固定される面の対向面）には、上下に開口する溝孔１３が形成されている。そして、レール２６は、その下端のみに下折り返し片２８を備えており、上端は開口している。符号２９はこの開口を示す。また、下折返し片２８に代えて、蓋などで閉じるようにしてもよい。     
【００２７】
レール部材２４は、図３（ａ）〜（ｄ）に示すように、扉３の内面に固定され、レール部材２４の上方に隣接し、その開口２９に面して磁石２５が扉３の内面に固定されている。
【００２８】
移動部材７は、図４（ｃ）に示すように、移動部１５と、突部１６とから一体に形成されている。移動部１５は、実施例１と同様に、図４（ａ）に示すように、レール２６内に嵌合されレール２６内で摺動可能（図４（ａ）は下降状態を示す。）であり、突部１６は、レール２６の溝孔１３から突出するように組み込まれている。
【００２９】
移動部１５は、少なくともその上面１５’は磁石２５で吸着される鉄等の材料で形成されている。移動部１５がレール２６内で上端の位置にある状態では、移動部１５の上面１５’は磁石２５に吸着され保持され、レール２６に沿って下降するようなことがない。
【００３０】
扉引き５は、図４（ｃ）に示すように、実施例１と同じ構成であり、杆部１８の上端二股部２０を移動部材７の突部１６に嵌合させて、軸２１で回動可能に軸支されている。これにより、扉引き５が移動部材７に回動可能に吊持され、且つレール２６に沿って扉３の内面を上下方向にスライド可能である。
【００３１】
なお、本実施例では、磁石２５を扉３の内面に固定したが、磁石２５を移動部１５の上面１５’に固定して、扉３の内面にこの磁石２５に吸着される鉄片等の部材を固定してもよい。
【００３２】
（作用）
以上の構成から成る実施例２の吊戸棚２２の作用を以下に説明する。吊戸棚２２の扉３を上方に開いた状態では、特に扉引き５を下方に引かない限り、図３（ｂ）及びその一部拡大図に示すように、移動部材７は、磁石２５に吸着されレール２６の上端の位置にあるから、その突部１６に軸支された扉引き５は、把持部１９によってこの突部１６の位置から垂直に下方に垂れ下がっている。
【００３３】
使用者は、扉３を閉じる際には、扉引き５の杆部１８又は把持部１９を把持し下方に引くと、移動部１５が磁石２５から離れ移動部材７及び扉引き５は、レール２６に沿って下方にスライドする。そして、図３（ｃ）及びその一部拡大図に示すように、移動部材７の移動部１５がレール２６の下端で下折り返し片２８に当接すると、扉引き５を下方に引く力は、移動部材７から取り付け手段２３を介して扉３に伝達され、扉３が閉じる方向に回動する。
【００３４】
そして、扉３が閉じる直前に、使用者が扉引き５を上方に上げて移動部材７をレール２６に沿って上端まで移動させて、移動部１５を磁石２５に吸着させる。すると、扉引き５は上方に保持された状態となるから、図３（ｄ）に示すように、扉３を閉じても、扉引き５が上方に退避しているために邪魔となることなく、その下部が扉３と箱体との間に挟まるようなことがない。
【００３５】
以上、本発明に係る吊戸棚を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３６】
以上の構成から成る本発明に係る吊戸棚は、システムキッチンに配設された吊戸棚だけでなく、洗面室、その他居間、書斎等、通常の室内に配設される吊戸棚にも適用可能である。
【図面の簡単な説明】
【００３７】
【図１】本発明の実施例１を説明する図である。
【図２】本発明の実施例１の要部である扉引き取り付け手段及び扉引きを説明する図である。
【図３】本発明の実施例２を説明する図である。
【図４】本発明の実施例２の要部である扉引き取り付け手段及び扉引きを説明する図である。
【符号の説明】
【００３８】
１、２２  吊戸棚
２  箱体部                 
２’  箱体部の天板               
３  扉                     
４、２３  扉引き取り付け手段     
５  扉引き                 
６、２４  レール部材             
７  移動部材               
８  引っ張りコイルバネ     
９、２６  レール             
１０  上折り返し片   
１１、２８  下折り返し片   
１２、２７  レールの外面         
１３  溝孔                 
１４  バネ掛け孔           
１５  移動部
１５’  移動部の上面               
１６  突部                 
１７  バネ掛け孔           
１８  杆部                 
１９  把持部               
２０  上端二股部           
２１  軸                   
２５  磁石                 
２９  レール部材の上端開口 
【図１】
2008029382.tif 000003
【図２】
2008029382.tif 000004
【図３】
2008029382.tif 000005
【図４】
2008029382.tif 000006